(57)【特許請求の範囲】
【請求項１】
誘導水供給ユニットと、水路ユニットと、集魚ユニットと、誘導ユニットとを備え、
上記誘導水供給ユニットは、河口堰等の堰堤上に設けてある誘導水タンクと、この誘導水タンクに誘導水を供給する誘導水供給手段とを備えており、
上記水路ユニットは、上記誘導水供給ユニットから供給された誘導水を上記堰堤の下流側に流下可能な水路管を備えており、
上記集魚ユニットは、上記水路管の下流端部に接続してある入り口管と、この入り口管の開口部である昇り口を部分的に水面上に浮上させる浮き体と、上記昇り口の周辺に上記シラスウナギを集める集魚手段とを備えており、
上記誘導ユニットは、上記水路ユニットを遡上した上記シラスウナギを上流端部から上記堰堤の上流側に誘導可能に設けてあり、
上記集魚ユニット周辺に集魚した上記シラスウナギは、上記昇り口から上記入り口管に入り、上記水路管を通って上記誘導ユニットまで遡上し、この誘導ユニットの上流側端部を乗り越えて上記河口堰の上流側へ移動可能としてある
ことを特徴とするシラスウナギ用魚道システム。
【請求項２】
請求項１において、上記誘導ユニットは、上記誘導水供給ユニットに接続してある第１注水管から供給された上記誘導水の水量の一部を上記誘導ユニットの上流側端部から上記堰堤の上流側に流下させ、残量は上記堰堤の下流側に流下可能に設けてあるとともに、上記誘導水供給ユニットに接続してある第２注水管から供給された上記誘導水を上記上流側端部の外側に流下可能としてあることを特徴とするシラスウナギ用魚道システム。
【請求項３】
請求項１又は請求項２のいずれかにおいて、上記水路管は上記堰堤に固定してある固定水路管と、この固定水路管に接続してあるとともに、上記集魚ユニットの昇降に対応して揺動するように設けてある可動水路管とにより構成してあることを特徴とするシラスウナギ用魚道システム。
【請求項４】
請求項３において、上記水路管は上記堰堤上に固定された支持部材によって保持可能に設けてあることを特徴とするシラスウナギ用魚道システム。
【請求項５】
請求項１乃至請求項４のいずれかにおいて、上記水路管にはシラスウナギの遡上を容易にする阻流物が設けてあることを特徴とするシラスウナギ用魚道システム。
【発明の詳細な説明】
【０００１】
【発明の属する技術分野】
本発明は、シラスウナギすなわち鰻の稚魚を遡上させるために河口堰等に設けるシラスウナギ用魚道システムに関するものである。
【０００２】
【従来の技術】
周知の通り、鰻の稚魚は体長が１０ｃｍ前後の柳葉波状をしたシラスウナギとして、暖かい海から海流に乗って各地の河川に来遊する。日本では、概ね１１月から４月にかけて来遊するが、河口に到着したシラスウナギは、河川水温、満潮時刻、日没時刻、潮高などの遡上に適する条件が熟したところで河川への遡上を始めるようである。シラスウナギの遡上は、ほとんど夜間に行なわれている。すなわち、シラスウナギは、日没とともに動き出し、満潮に乗って河川を昇り、明け方近くになると魚礁等に隠れて休息に入る習性を有している。こうしてシラスウナギは、このような遡上を繰り返して河川等を遡上しながら成長し、さらに最終目的である小溝、湖沼、沢又は潟などに遡上して成魚（鰻）となる。上流で成鰻になってある期間そこで成長した鰻は、秋になって水温が下り始めると、河川を下って暖かい海へ帰って産卵する習性を持っている。遡上して河川等でシラスウナギから成長した鰻は、天然鰻としてばかりではなく、シラスウナギの母体として貴重な存在となるものである。
【０００３】
他方、大部分の河川には、その下流部に種々の目的から河口堰あるいは水門等が設けられている。これらの河口堰あるいは水門等は、河川の水流を横断方向に遮断することにより、そこに生息する魚介類の上流方向への移動を妨げてしまうことから、魚介類の移動を確保するための魚道（魚用人口水路）が設けられている。
【０００４】
【発明が解決しようとする課題】
しかしながら、現在設けられている魚道は、水産経済上、有用と考えられる鮭や鮎のように、比較的遊泳力のある遡上魚用に設計されており、階段式魚道に代表されるように、魚道の流れは比較的速いものとなっている。ところが、緩やかな流れに沿って、又は僅かな湿気や小さな流れのあるところを遡上する習性を有するシラスウナギにとって、上記したような流れの速い魚道を通って遡上することはほとんど不可能である。天然ものの鰻の数が激減しているといわれて久しいが、これはシラスウナギが河口付近で養殖用に捕獲されてしまうことにも原因はあるが、シラスウナギが河口堰などに妨げられて遡上できないことに最大の原因であるといえる。特に河口堰又は水門にシラスウナギ用の魚道が設けられていないことは、その上流における天然鰻の不存在の原因となっているものといえる。
【０００５】
そこで本発明の目的は、河口堰や水門に到達したシラスウナギが容易に遡上可能とし、上流側における鰻の存在を増加させることができるようにするシラスウナギ用魚道システムを提供することにある。
【０００６】
【課題を解決するための手段】
上記の目的を達成するために、本発明は以下の手段を採用することにより、以下のような作用効果を発揮するようにしたものである。
【０００７】
（請求項１に記載した発明の特徴）
この発明のシラスウナギ用魚道システムは、誘導水供給ユニットと、水路ユニットと、集魚ユニットと、誘導ユニットとの４つの要素により構成することにより、シラスウナギが河口堰等によって遡上が妨げられることなく遡上できるようにしたものである。誘導水供給ユニットは、シラスウナギの遡上用水を本システムに供給するための装置である。このユニットは、ポンプ等の誘導水供給手段と、汲み上げた誘導水を貯めておくための誘導水タンクとを備えている。誘導水タンクは、水路ユニットと誘導ユニットとに誘導水を供給可能としてある。また、上記した水路ユニットは、堰堤の下流側に傾斜状に設けられる水路管を含むユニットであり、上記の誘導水供給ユニットから供給された誘導水を、堰堤上から下流側に流下可能に設けてある。誘導水は、この水路管を通って上記の集魚ユニットから堰堤の下流側へ流下することによりシラスウナギを遡上可能としてある。
【０００８】
集魚ユニットは、多くのシラスウナギを集めて昇り口から水路ユニットへ誘導するために、河口堰の下流側の水面上に設置されるユニットである。集魚ユニットの構成は、上記の水路管に接続してある入り口管と、この入り口管の入り口でもある昇り口を部分的に水面上に浮上させる浮き体と、昇り口の周辺にシラスウナギを集める集魚手段とを備えているところに特徴がある。これは、シラスウナギが水際を遊泳する習性を有することから、昇り口を水際に設けて入り口管内へ誘導容易としたものである。これととともに、シラスウナギも他の魚類と同様に明かりや水の落下音に対して反応する習性を有することを利用し、集魚手段を設けることにより入り口管へ誘導容易としてある。
【０００９】
誘導ユニットは、水路ユニットを遡上したシラスウナギを上流端部から堰堤の上流側に移動するように誘導するための装置である。シラスウナギは上流に向かって移動する習性を有するため、堰堤上に到達した後、こんどは上流側の水面を目掛けて飛び降りることは好まないことから、上流に向かうように錯覚を起こさせ、あるいは上流端部を飛び越えるように誘導するためのものである。
【００１０】
本発明に係るシステムの設置により、集魚ユニット周辺に集魚したシラスウナギは、昇り口から入り口管内に入り、誘導水供給ユニットから供給された誘導水が流れている水路ユニットを昇って誘導ユニットまで遡上する。そしてさらに、この誘導ユニットの上流側端部を乗り越えて飛び出し、河口堰の上流側へ移動可能としてある。こうして、シラスウナギが河口堰を乗り越えて遡上可能とすることにより、上流の河川や湖沼等に天然鰻を生息させ、シラスウナギの再生産を可能とする基盤を築くことが可能となる。
【００１１】
（請求項２に記載した発明の特徴）
請求項２に記載した発明における誘導ユニットは、誘導水供給ユニットに接続してある第１注水管から供給された誘導水の水量の一部をこの誘導ユニットの上流側端部から堰堤の上流側に流下させ、残量は堰堤の下流側に流下可能に設けてあるとともに、誘導水供給ユニットに接続してある第２注水管から供給された誘導水を上流側端部の外側に流下可能としてあるところに特徴がある。第１注水管から供給される誘導水は、水量の一部をこの誘導ユニットの上流側端部から堰堤の上流側と下流側とに同時に流下するように注がれるようにしてあるため、シラスウナギはさらに遡上を続けようとして上流側端部を乗り越えようとすることを誘導する作用を行なう。こうして上流側端部を乗り越えたシラスウナギは、堰堤の上流側に飛び出すが、これに対しては、第２注水管から供給された誘導水を上流側端部の外側に流すことにより堰堤の上流側へ誘導容易としてある。
【００１２】
（請求項３に記載した発明の特徴）
この発明におけるシラスウナギ用魚道システムは、水路ユニットを、堰堤に固定してある固定水路管と、集魚ユニットの昇降に対応して揺動するように設けてある可動水路管とにより構成してあるところに特徴がある。集魚ユニットは、河口堰等の下流側に設けられるものであることから、潮位の変化に応じて昇降するため、これに接続してある水路管もこの昇降に対応して姿勢を変化させ、集魚ユニットを常に水際に位置させかつ水平に保持する必要がある。これを実現する手段として水路ユニットを堰堤に固定される部分である固定水路管と、この固定水路管と集魚ユニットとを結ぶ可動水路管とにより構成し、可動水路管の揚動により集魚ユニットを常に集魚可能な状態に維持するようにしたものである。
【００１３】
（請求項４に記載した発明の特徴）
この発明におけるシラスウナギ用魚道システムは、水路ユニットの水路管を、堰堤に固定された支持部材によって保持可能に設けてあるところに特徴がある。ここで支持部材とは、水路管及び集魚ユニットを堰堤に対して所定の位置を保持するように支持するために設けられる部材をいう。集魚ユニットは、河口堰の下流側に設けられるものであり、潮流や風浪により翻弄される環境におかれるため、本来の設置位置に繋留しておくことが困難となっていることが多い。そこで、これらを支持部材で支持することにより、集魚ユニットによるシラスウナギの遡上を誘導可能としたものである。
【００１４】
（請求項５に記載した発明の特徴）
請求項５に記載した発明は、請求項１から請求項４に記載した発明における水路管には、いずれもシラスウナギの遡上を容易にする阻流物が設けてあるところに特徴がある。ここで阻流物とは、水路管内の流れを弱めかつシラスウナギの遡上を容易にするために水路管の底部に設ける模擬海藻等をいうものとする。シラスウナギは、勾配の大きい傾斜面を急流に逆らって遡上する能力を有しないことから、これらの水路管に阻流物を設けて、水流の勢いを弱めるとともにシラスウナギが阻流物の間をくねくねしながら傾斜面を昇ることを助ける働きをする。
【００１５】
【発明の実施の形態】
（第１実施の形態例）
図１に示すように、この形態例は、シラスウナギ用魚道システムの基本的構成をなすものであり、主に潮の千満差の大きくない河口に設けられた河口堰に設置することを考慮した構成である。このシステムは、河口堰の堰堤１上に、給水ユニット３が設けてあり、堰堤の下流側（図１右側）の水際には、集魚ユニット５が設けてある。また、給水ユニット３と集魚ユニット５との間には、これらの両者を結ぶ水路ユニット７が介在しており、給水ユニットから出た誘導水は、この水路ユニットの水路管８を通って集魚ユニットへ流れ出すようになっている。また、水路ユニット７の上流端部は、誘導ユニット９に接続してある。これにより、水路管８を通って遡上して来たシラスウナギが、この誘導ユニット９から堰堤１の上流側へ誘導されるようになっている。こうして、海洋から河口堰の堰堤１の下流側に達したシラスウナギは、集魚ユニット５から水路ユニット７を通り、誘導ユニット９に入り、ここから堰堤の上流側へ誘導されて遡上するようになっている。
【００１６】
給水ユニット３は、堰堤１上に設置された誘導水タンク３ａと、このタンクに誘導水を供給するための給水手段４とを備えている。給水手段４は、水中ポンプ４ａと、これと誘導水タンク３ａとを結ぶ給水管４ｂとにより構成されている。水中ポンプ４ａの設置場所は、特に制限されないが、誘導水がシラスウナギの向かう先の水と同質水であることが望ましいこと、及び水源が得やすいなどの条件があるため、堰堤１の上流側（図１左側）とすることが望ましい。誘導水タンク３ａの一側部には、誘導ユニット９へ誘導水を注水するための２本の注水管が設けてある。内側に位置する第１注水管１２ａは、主に水路ユニット７側に注水可能としてあり、外側に位置する第２注水管１２ｂは、堰堤１の傾斜面に注水可能としてある。各注水管の注水量は調整弁１２ｃにより調整可能としてある。
【００１７】
集魚ユニット５は、河口堰に到達したシラスウナギを集めて誘導し、水路ユニット７へ送り出すための装置である。この集魚ユニット５は、入り口管５ａ、浮き体５ｂ、集魚手段６を構成するライト６ａ及びシャワー６ｂを主な構成要素としている。入り口管５ａは、直径３００〜４００ｍｍの塩化ビニル（ＰＶＣ）等のプラスチック管を長さ約１ｍに切断したものを採用してある。図２に示すように、入り口管５ａの上流側端部は、フレキシブル管５ｄに接続してあり、これにより潮位の変化に対応可能となっている。浮き体５ｂは、発泡スチロール等の浮揚体を入り口管５ａの両側に固定したものを採用してある。また、入り口管５ａは、水面上に長手方向が水平になるように浮き体５ｂを介して配置されるが、図３に示すように、昇り口５ｃの断面の上部からほぼ３分の１が水面上になるようにすることが望ましい。これは水際を遊泳するシラスウナギの習性に対応したもので、シラスウナギの魚道システムへの誘導を容易にするものである。図１に示してある集魚手段６を構成するライト６ａは、シラスウナギが明るい場所に集まる習性や水音のする場所に集まる習性を利用して、昇り口５ｃの周囲に呼び集める作用をする。ライトとしては１００Ｗ程度の白熱灯を採用し、昇り口５ｃの周囲を照らすようにすることが望ましい。また、シャワー６ｂもライトの照明範囲と重複して散水するようにするとよい。
【００１８】
水路ユニット７は、上記したように、給水ユニット３と集魚ユニット５との間に介在する魚道用水路である。水路管８としては、ＰＶＣ製の直径約３００〜４００ｍｍの円形管を採用することが望ましい。なお、鋳鉄管や鋼管は錆を発生するので、本システムの水路管としては好ましくない。図４，５に示すように、水路管８は、管路部８ａと上蓋部８ｂとを組み合わせて管状とし、上蓋部の着脱により内部のメンテナンスを容易化してある。また、上蓋部８ｂの要所には、窓部８ｃを設けることにより採光及び給気を可能としてある。水路管８は、堰堤１の下流側傾斜面に沿ってアンカー部材８ｄを介して設置されるが、上下の設置角度は６０°以内として、シラスウナギの遡上を可能なものとする必要がある。水路管８は管継手８ｅを介して、フレキシブル管５ｄ及びこれに続く入り口管５ａと接続してある。また、水路管８の底部には、シラスウナギの遡上を容易にするために阻流物として岩石を配置し、さらに擬似海藻等を植え付けてある。
【００１９】
図１において、誘導ユニット９は、堰堤１上に固定設置されており、その構成は、水路管８の上端部に接続されている蓄養水槽１０と、上記した２本の注水管１２ａ，１２ｂとからなる。この蓄養水槽１０は、幅が約４００ｍｍ、長さが約２ｍ程度の水槽を約１０分の１の勾配にしたものを堰堤１上に載置してあり、下流側端部が水路管８の上端部に接続してある。蓄養水槽１０の上流側端部は後述の誘導部１０ａになっている。また、この蓄養水槽１０は、急勾配の水路管８を遡上して来たシラスウナギを休養させるための設備であるので、小石を散在させ、あるいは擬似水生植物を植え付けておくなどするとよい。また、蓄養水槽１０の蓋を透明板で構成して遡上したシラスウナギの状態を観察可能とし、あるいは水槽に魚影検知センサを設けてシラスウナギの遡上量を測定可能とすることも可能である。さらに、付属施設としてバイパスを設けておき、シラスウナギを採補して他の養鰻場へ供給可能とすることもできる。
【００２０】
誘導部１０ａは、蓄養水槽１０の上流部に設けられた蓋無しの部分であり、第１注水管１２ａからの誘導水の供給を可能としてあるとともに、上端部の縁部をシラスウナギが乗り越えて脱出可能としてある。こうして２本の注水管１２ａ，１２ｂのうち、内側の注水管１２ａは、誘導部１０ａの縁板上に注がれ、注水量の約半分は槽外へ流れ落ちるように設けてある。そして残りの注水量は、誘導部１０ａ内に注がれて、ここから蓄養水槽１０を経て水路管８へ流れ込むようにしてある。このように、注水量の一部が槽外へ落ちるようにしたのは、シラスウナギに誘導部１０ａの上流端部の外側に遡上路が続いているように錯覚させ、その縁板を乗り越えて飛び出すように誘導する作用を期待したものである。これに対し他方の注水管１２ｂは、上流を目指して遡上中のシラスウナギが内側の注水管１２ｂから注水されている部分で槽の上縁を乗り越えて槽外へ飛び出したときに、これを一気に洗い流して、堰堤１の上流側へ落下させる働きをするものである。誘導部１０ａの下方の堰堤１には、傾斜面１ａを設けておき、誘導部を乗り越えたシラスウナギをこの勾配に沿って滑り落ちてから水面上へ小さな衝撃で落下させるようにするとよい。さらに水面と傾斜面１ａとの間には、逆遡上を阻止するための垂直壁からなる逆遡上防止部１ｂを設けるようにするとよい。
【００２１】
シラスウナギは、夕方暗くなるとともに動き出し、明け方明るくなるとともに活動を停止する習性があるので、このシステムの運転は、この時間帯だけ行うようにすればよい。また、上述の通り、シラスウナギの遡上期間も日本国内においては、１１月から４月に限られるので、このシステムの開設もこの期間に限定するようにしてもよい。したがって、この期間以外の期間は場合によりこのシステム一式を分解し、倉庫等に保管しておき、１１月の遡上期に合わせて再構築することも可能である。
【００２２】
このシステムの運転は、水中ポンプ４ａを始動し、誘導水タンク３ａに誘導水を貯め、注水管１２ａの調整弁１２ｃを調整することにより、誘導ユニット９へ誘導水を供給する。これとともに集魚ユニット５のライト６ａを点灯し、シャワー６ｂで散水して昇り口５ｃの周囲にシラスウナギを呼び集める。ここに集まったシラスウナギたちは、昇り口５ｃから排出される水流を感知し、ここから水路ユニット７を目指して遡上を開始する。シラスウナギは、僅かな水量さえあれば、極言すれば湿気があればその方向に向かって移動する習性があるので、誘導水の水量は僅かでよい。水路管８中には、模擬水生植物等の阻流物が設けてあるので、シラスウナギはこれらの阻流物を伝わって遡上し、やがて蓄養水槽１０に到達する。畜養水槽１０に到達したシラスウナギは、ここで休養した後、さらに遡上を続けて誘導部１０ａに至り、ここで第１注水管１２ａからの注水に乗って、槽の上縁を乗り越えて槽外へ飛び出す。槽外へ飛び出したシラスウナギは、既述したように、第２注水管１２ｂからの注水により押し流され、堰堤の傾斜面１ａを滑り落ちて上流側の水面上に落下する。こうして堰堤１を乗り越えて上流側に到達したシラスウナギは、さらに遡上を続けながら成長し、やがて成鰻となる。
【００２３】
（第２実施の形態例）
図６に示すように、この形態例の基本的構成や作用は第１実施の形態例と同様であるが、この形態例では、設備の構成や構築方法を簡易化してあるところに第１の特徴がある。すなわち、各ユニットの解体及び組み立てが容易であり、このシステムを低コストで構築し、又は撤去可能とすることによりシラスウナギの遡上期間だけ設置し、それ以外の期間については、河口堰の有効利用や台風時における被害防止を図るようにしたものである。そして第２の特徴は、水路ユニット２７を構成する水路管２８を、固定水路管２８ａと可動水路管２８ｂとにより構成し、集魚ユニット２５の昇降運動が大きくなっても入り口管２５ａの水平状態を維持したまま対応可能としてあることである。
【００２４】
この形態例の構成は、第１実施の形態例に準じたものとなっているので、図６に示すように、同一名称の各ユニットの符号は、第１実施の形態例で用いた符号に２０を加えたものとしてある。また、各ユニット以外の構成要素については、２０以上４０未満の数値を採用してある。また、各ユニットの構成も図示上は、第１実施の形態例のそれと異なるようになっているが、これらの相違は種々の条件に対応して行なわれる変更の範囲内のものである。
【００２５】
この形態例の構成の概要は、河口堰の堰堤２１上に給水ユニット２３が設けてあり、堰堤の下流側の水面には、集魚ユニット２５が設けてある。給水ユニット２３と集魚ユニット２５とを結ぶ水路ユニット２７は、堰堤２１上に水平に設けられた固定水路管２８ａと、この固定水路管と集魚ユニット２５とを結ぶ可動水路管２８ｂとにより構成してある。集魚ユニット２５は、可動水路管２８ｂの先端部に接続してある入り口管２５ａを、両側部に設けられた浮き体２５ｂ，２５ｂにより昇り口２５ｃを集魚容易な姿勢を保持するようにしてある。浮き体２５ｂの上には櫓２５ｆを築き、これに集魚手段２６を構成するライト２６ａ及びシャワー２６ｂが設けてある。
【００２６】
固定水路管２８ａと可動水路管２８ｂとの間、及びこの可動水路管と集魚ユニット２５との間は可撓管を介して接続されている。このため、下流側の潮の干満その他により水位が大きく変化した場合にも、集魚ユニット２５を常に水面上に水平に保持可能となっている。この可動水路管２８ｂは、堰堤２１上から下流側に張り出すように設けた点検歩廊２２にロープ２７ｃ，…で吊り下げられている。これは集魚ユニット２５が波や風によって漂流しようとするのを抑制するために採用されたものであるが、簡単な構成の採用により設備のコストダウンを実現するものでもある。
【００２７】
その他、この形態例では、誘導ユニット２９に備え付けられていた畜養水槽３０は、堰堤２１上に水平に設けてあり、上流端部が堰堤の上部から上流側へ張り出しており、固定水路管２８ａとの接続部３０ｂは段差状になっている。そして集魚ユニット２５から供給された誘導水を、固定水路管２８ａへ給水する第１注水管３２ａと、畜養水槽３０へ給水する第２注水管３２ｂとを別々に設けてある。まず、第１注水管３２ａから供給される誘導水は、固定水路管２８ａの中程に注水されるようにしてあり、ここから斜めに配置されている可動水路管２８ｂに流れ込むようにしてある。第１注水管３２ａから供給される誘導水は、この注水位置の上流側にも少しは流れるが、これはシラスウナギの遡上を助ける程度の量とすることが望ましい。また、上記の接続部３０ｂでは、ここを通過したシラスウナギは後戻りできないような構造とすれば、全てのシラスウナギが畜養水槽３０内に移動可能となる。畜養水槽３０には、第２注水管３２ｂからの誘導水が注水されるようにしてあり、その最端部には低い堰を設け、その先端部を誘導部３０ａとし、シラスウナギがここから槽外に出られるようにしてある。
【００２８】
この形態例における可動水路管２８ｂは、堰堤２１から下流側に対して直角方向に突出するように設けてあるが、これを図７に示すように、堰堤と平行するように設けるようにしてもよい。これは可動水路管２８ｂも集魚ユニット２５もともに堰堤１の近くに位置するので、メンテナンスが容易化する利点がある。
【００２９】
（第３実施の形態例）
この形態例は、上述の第２実施の形態例がシステムの設置及び除去が容易となることに主眼が置かれるのに対し、基本構成はほぼ同一としてあるが、設備に恒久性を持たせることに主眼を置いたものである。そこで図面の説明に用いる符号は、第２実施の形態例と同一性を有するものについては、その符号にさらに２０を加えた数値を用いることとしてある。図８，９に示すように、水路ユニット４７を支持部材４７ａ，４７ｂによって保持してある。すなわち、固定水路管４８ａは、堰堤４１に固定された固定支持部材４７ａによって支持され、可動水路管４８ｂは、この固定支持部材に支軸４７ｃを介して上下方向に揺動自在に取り付けられた可動支持部材４７ｂにより保持してある。このため、集魚ユニット４５が潮位の変化により昇降しても十分に対応可能であることは元より、風浪により押し流されようとしても本来の設置位置に留置可能となっている。
【００３０】
また、集魚ユニット４５は、入り口管４５ａ、浮き体４５ｂ及び集魚手段４６とを備えたものであるが、この集魚手段は浮き体により水面上に浮上している筏４７ｄ上に設置してある。これとともに、入り口管４５ａは、この筏４７ｄに取り付けられており、昇り口４５ｃは常に３分の１ほどが水面上に出るように設けてある。筏４７ｄ上に設置されている集魚手段４６は、ライト４６ａ及びシャワー４６ｂを備えていることについては第1，２実施の形態例と同様である。筏４７ｄは、可動支持部材４７ｂの先端部に、支軸４５ｅを介して可動支持部材４７ｂに揺動自在に支持されている。したがって、筏４７ｄは潮位の変化により昇降運動しても、この可動支持部材４７ｂを介して水平状態を保持した状態で浮上可能となっている。なお、固定水路管４８ａは、通常のＰＶＣ管を採用してあるが、可動水路管４８ｂは可撓管を採用し、潮位の変動により入り口管４５ａが昇降する際における水平状態を保持可能としてある。可動水路管４８ｂは両端部に可撓管を介して揺動自在としてもよい。その他の構成は、上記第２実施の形態例と同様である。
【００３１】
なお、上記３つの形態例における各構成要素の形状や配置はあくまでも例として説明したものであり、実際には河口堰の設置状態や堰堤の構造などにより変化させることが望ましい。また、昇り口や水路管の寸法や阻流物なども実際の状況に応じて対処することが望ましい。
【００３２】
【発明の効果】
本発明によれば、既存の河口堰等に簡易な設備からなるシラスウナギの遡上用魚道を容易に設けることが可能となるので、河口堰の下流側から上流側へシラスウナギを遡上させることができる。したがってこれまで鮎や鮭などの魚道しか設けられていないためにシラスウナギの遡上が不可能であったが、この魚道システムの設置により河口堰を乗り越え、上流側からさらに遡上して成鰻として上流側で生息可能となるので、貴重な天然鰻の保護に貢献する。また、天然鰻が河川を下って海に還って産卵すれば、スラスウナギの再生産にも寄与するので、シラスウナギの再遡上及び鰻の再生産に貢献する。
【図面の簡単な説明】
【図１】第１実施の形態例の構成を示す説明図である。
【図２】入り口管の設置状態を示す説明図である。
【図３】図２のＢ−Ｂ線断面図である。
【図４】水路管の構成を示す平面図である。
【図５】図４のＤ−Ｄ線断面図である。
【図６】第２実施の形態例の構成を示す説明図である。
【図７】第２実施の形態例の他の構成を示す説明図である。
【図８】第３実施の形態例の構成を示す説明図である。
【図９】第３実施の形態例の構成を示す平面図である。
【符号の説明】
１，２１，４１            河口堰（堰堤）
３，２３，４３            給水ユニット
４，２４，４４            誘導水供給手段（給水手段）
５，２５，４５            集魚ユニット
５ａ，２５ａ，４５ａ      入り口管
５ｂ，２５ｂ，４５ｂ      浮き体
５ｃ，２５ｃ，４５ｃ      昇り口
６，２６，４６            集魚手段
７，２７，４７            水路ユニット
８，２８，４８            水路管
９，２９，４９            誘導ユニット
１２ａ，３２ａ，５２ａ    第１注水管
１２ｂ，３２ｂ，５２ｂ    第２注水管
２８ａ，４８ａ            固定水路管
２８ｂ，４８ｂ            可動水路管
４７ａ，４７ｂ            支持部材
【図１】
0003749859.tif 000002
【図２】
0003749859.tif 000003
【図３】
0003749859.tif 000004
【図４】
0003749859.tif 000005
【図５】
0003749859.tif 000006
【図６】
0003749859.tif 000007
【図７】
0003749859.tif 000008
【図８】
0003749859.tif 000009
【図９】
0003749859.tif 000010